(57)【特許請求の範囲】
【請求項１】
投稿者によってアップロードされた投稿カラオケデータであって、原曲版のカラオケ楽曲を構成するデータを含む原曲コンテンツと、前記原曲版のカラオケ楽曲を基に制作されたアレンジ版のカラオケ楽曲を構成するデータを含むアレンジコンテンツと、前記アレンジコンテンツの利用を許可する条件である利用条件を表す利用条件情報とを含む投稿カラオケデータを記憶するように構成された記憶手段と、
前記記憶手段から、前記原曲コンテンツと、前記アレンジコンテンツと、前記利用条件情報とを取得するように構成された取得手段と、
利用客から前記投稿カラオケデータに関する演奏のリクエストを受付けた場合、そのリクエストに該当する投稿カラオケデータに含まれる原曲コンテンツに基づいて、前記原曲版のカラオケ楽曲を演奏するように構成された第１演奏手段と、
前記第１演奏手段による演奏に係る前記利用客の歌唱態様が、当該投稿カラオケデータに含まれる利用条件情報で表される利用条件を満たすか否かを判定するように構成された判定手段と、
前記判定手段により前記利用条件を満たすと判定された場合、当該投稿カラオケデータに含まれるアレンジコンテンツを利用する権利を付与するための情報である権利情報を、前記利用客に対して提示するように構成された権利付与手段と、
前記権利情報の入力を受付けるように構成された受付手段と、
前記受付手段によって前記権利情報の入力が受付けられた場合、前記権利情報に該当するアレンジコンテンツに基づいて、前記アレンジ版のカラオケ楽曲を演奏するように構成された第２演奏手段と、
を備えるカラオケシステム。
【請求項２】
請求項１に記載のカラオケシステムにおいて、
前記利用条件情報には、歌唱の巧拙の評価に関する条件が含まれており、
前記判定手段は、前記第１演奏手段による演奏時に前記利用客によって行われた歌唱の巧拙を評価し、その評価結果が前記利用条件情報で表される歌唱の巧拙の評価に関する条件を満たすか否かを判定するように構成された、カラオケシステム。
【請求項３】
請求項１又は請求項２に記載のカラオケシステムにおいて、
１つの前記投稿カラオケデータに、前記原曲コンテンツと、複数種類の前記アレンジコンテンツと、複数種類の前記アレンジコンテンツに関する前記利用条件を表す前記利用条件情報とが含まれており、
前記判定手段は、さらに、前記第２演奏手段による演奏に係る利用客の歌唱態様が、当該アレンジコンテンツに関する利用条件情報で表される利用条件を満たすか否かを判定するように構成されており、
前記権利付与手段は、さらに、前記判定手段により前記アレンジコンテンツに関する利用条件を満たすと判定された場合、当該アレンジコンテンツが属する投稿カラオケデータに含まれる別のアレンジコンテンツを利用する権利を付与するための権利情報を、前記利用客に対して提示するように構成されている、カラオケシステム。
【請求項４】
請求項１ないし請求項３の何れか１項に記載のカラオケシステムにおいて、
前記権利付与手段は、前記アレンジコンテンツを利用することができる場所又は期間の少なくとも何れかを表す限定条件を更に含む権利情報を提示するように構成されており、
前記第２演奏手段は、前記受付手段により受付された権利情報に含まれる限定条件と、前記受付手段に前記権利情報が入力されたときの場所又は時期の少なくとも何れかの状況とが適合することを条件に、その権利情報に該当するアレンジコンテンツに基づいて、前記アレンジ版のカラオケ楽曲を演奏するように構成された、カラオケシステム。
【請求項５】
投稿者によってアップロードされた投稿カラオケデータであって、原曲版のカラオケ楽曲を構成するデータを含む原曲コンテンツと、前記原曲版のカラオケ楽曲を基に制作されたアレンジ版のカラオケ楽曲を構成するデータを含むアレンジコンテンツと、前記アレンジコンテンツの利用を許可する条件である利用条件を表す利用条件情報とを含む投稿カラオケデータを配信する機能を有するサーバ装置と通信可能に構成されたカラオケ装置であって、
前記サーバ装置から、前記原曲コンテンツと、前記アレンジコンテンツと、前記利用条件情報とを取得するように構成された取得手段と、
利用客から前記投稿カラオケデータに関する演奏のリクエストを受付けた場合、そのリクエストに該当する投稿カラオケデータに含まれる原曲コンテンツに基づいて、前記原曲版のカラオケ楽曲を演奏するように構成された第１演奏手段と、
前記第１演奏手段による演奏に係る前記利用客の歌唱態様が、当該投稿カラオケデータに含まれる利用条件情報で表される利用条件を満たすか否かを判定するように構成された判定手段と、
前記判定手段により前記利用条件を満たすと判定された場合、当該投稿カラオケデータに含まれるアレンジコンテンツを利用する権利を付与するための情報である権利情報を、前記利用客に対して提示するように構成された権利付与手段と、
前記権利情報の入力を受付けるように構成された受付手段と、
前記受付手段によって前記権利情報の入力が受付けられた場合、前記権利情報に該当するアレンジコンテンツに基づいて、前記アレンジ版のカラオケ楽曲を演奏するように構成された第２演奏手段と、
を備えるカラオケ装置。
【発明の詳細な説明】
【技術分野】
【０００１】
本開示は、投稿者により投稿されたカラオケ楽曲を再生する技術に関する。
【背景技術】
【０００２】
従来、カラオケシステムのサービス形態として、情報配信サービス提供業者のカラオケ楽曲や背景映像情報といった、事業者が提供するカラオケコンテンツを利用するサービスが知られている。例えば、特許文献１には、事業者が提供するカラオケ楽曲が配信されたカラオケ装置を用いて、その利用客による歌唱や楽器演奏の様子が撮影された動画情報を含む投稿データをサーバに投稿し、サーバに投稿された投稿データをカラオケ装置において再生するサービスが記載されている。
【０００３】
さらに近年、一般の投稿者が作曲や作詞をして制作したオリジナルのカラオケ楽曲をサーバに投稿し、投稿されたオリジナルのカラオケ楽曲をサーバからカラオケ装置に配信して演奏する、楽曲投稿サービスが提案されている。このような楽曲投稿サービスによれば、一般の投稿者が制作した独自性の高いカラオケ楽曲を、カラオケ装置を通じて多くの利用客に歌唱してもらうことで、投稿者の尊厳欲求や自己実現欲求といった高次の欲求を満足させることができる。
【先行技術文献】
【特許文献】
【０００４】
【特許文献１】特開２０１４−１７４７３３号公報
【発明の概要】
【発明が解決しようとする課題】
【０００５】
上述のような楽曲投稿サービスの利用を促進するためには、より多くのオリジナルのカラオケ楽曲を投稿してもらうことが不可欠である。そのためには、多くの利用客にカラオケ店舗に来訪してもらい、積極的にオリジナルのカラオケ楽曲を選曲してもらうことが肝要である。オリジナルのカラオケ楽曲が多くの利用客に歌唱されれば、投稿者の創作意欲が高まり、楽曲投稿サービスの利用が一層促進されることが期待できる。
【０００６】
本開示の目的は、投稿者によって投稿されたオリジナルのカラオケ楽曲をカラオケ装置の利用客に対して演奏する楽曲投稿サービスの利用を促進するための技術を提供することである。
【課題を解決するための手段】
【０００７】
本開示の一態様に係るカラオケシステムは、記憶手段と、取得手段と、第１演奏手段と、判定手段と、権利付与手段と、受付手段と、第２演奏手段とを備える。記憶手段は、投稿者によってアップロードされた投稿カラオケデータを記憶するように構成されている。
【０００８】
この投稿カラオケデータは、原曲版のカラオケ楽曲を構成するデータを含む原曲コンテンツと、アレンジ版のカラオケ楽曲を構成するデータを含むアレンジコンテンツと、アレンジコンテンツの利用を許可する条件である利用条件を表す利用条件情報とを含むデータである。アレンジ版のカラオケ楽曲は原曲版のカラオケ楽曲を基に、何らかの変更や付加価値等のアレンジを施して制作されたものである。
【０００９】
取得手段は、記憶手段から原曲コンテンツと、アレンジコンテンツと、利用条件情報とを取得するように構成されている。第１演奏手段は、利用客から投稿カラオケデータに関する演奏のリクエストを受付けた場合、そのリクエストに該当する投稿カラオケデータに含まれる原曲コンテンツに基づいて、原曲版のカラオケ楽曲を演奏するように構成されている。
【００１０】
判定手段は、第１演奏手段による演奏に係る利用客の歌唱態様が、当該投稿カラオケデータに含まれる利用条件情報で表される利用条件を満たすか否かを判定するように構成されている。権利付与手段は、利用客の歌唱態様が利用条件を満たすと判定された場合、当該投稿カラオケデータに含まれるアレンジコンテンツを利用する権利を付与するための情報である権利情報を、利用客に対して提示するように構成されている。
【００１１】
受付手段は、権利情報の入力を受付けるように構成されている。第２演奏手段は、受付手段によって権利情報の入力が受付けられた場合、その権利情報に該当するアレンジコンテンツに基づいて、アレンジ版のカラオケ楽曲を演奏するように構成されている。
【００１２】
このように構成されたカラオケシステムでは、投稿カラオケデータの演奏をリクエストした利用客に対して当初は原曲コンテンツしか開示されず、アレンジコンテンツは開示されないようになっている。ただし、投稿カラオケデータをリクエストした利用客がアレンジコンテンツの利用条件を満たすことで、その利用客に対してアレンジコンテンツを利用する権利を付与するようになっている。そして、利用客が提示された権利情報を入力することにより、アレンジコンテンツが開示されるようになっている。
【００１３】
このようすることで、付加価値の高いアレンジコンテンツを利用する権利を得るために、利用客が投稿カラオケデータの演奏を積極的にリクエストすることが期待できる。多くの利用客によって投稿カラオケデータが利用される機会が多くなることにより、投稿者の創作意欲が高まり、楽曲投稿サービスの利用が一層促進される。
【００１４】
上記構成において、更に次のように構成されていてもよい。すなわち、利用条件情報には歌唱の巧拙の評価に関する条件が含まれる。そして、判定手段は、原曲コンテンツの演奏時に利用客によって行われた歌唱に関する評価結果が、利用条件情報で表される歌唱の巧拙の評価に関する条件に適合するか否かを判定するように構成されている。
【００１５】
このような構成によれば、利用客が原曲コンテンツの歌唱に習熟することで、アレンジコンテンツを利用する権利を得ることができるようになる。したがって、利用客が原曲コンテンツの歌唱を練習するために、投稿カラオケ楽曲がリクエストされる機会が多くなることが期待される。
【００１６】
あるいは、上記構成において、更に次のように構成されていてもよい。すなわち、１つの投稿カラオケデータに、原曲コンテンツと、複数種類のアレンジコンテンツと、複数種類のアレンジコンテンツに関する利用条件を表す利用条件情報とが含まれる。そして、判定手段は、さらに、第２演奏手段による演奏に係る利用客の歌唱態様が、当該アレンジコンテンツに関する利用条件情報で表される利用条件を満たすか否かを判定するように構成されている。権利付与手段は、さらに、判定手段によりアレンジコンテンツに関する利用条件を満たすと判定された場合、当該アレンジコンテンツが属する投稿カラオケデータに含まれる別のアレンジコンテンツを利用する権利を付与するための権利情報を、利用客に対して提示するように構成されている。
【００１７】
このような構成によれば、利用客が原曲コンテンツやアレンジコンテンツを歌唱してその利用条件を達成する度に、更に別のアレンジコンテンツを開示することができるようになる。そうすることにより、利用客に対して提供できる付加価値の多様性が増し、利用客に繰返し投稿カラオケデータを利用してもらうための有力な動機付けとなる。
【００１８】
あるいは、上記構成において、次のように構成されていてもよい。すなわち、権利付与手段は、アレンジコンテンツを利用することができる場所又は期間の少なくとも何れかを表す限定条件を更に含む権利情報を提示するように構成されている。そして、第２演奏手段は、受付された権利情報に含まれる限定条件と、その権利情報が入力されたときの場所又は時期の少なくとも何れかの状況とが適合することを条件に、その権利情報に該当するアレンジ版のカラオケ楽曲を演奏するように構成されている。このような構成によれば、設定された場所や期間において利用客に再度投稿カラオケデータを利用してもらうための有力な動機付けとなる。
【００１９】
本開示の一態様に係るカラオケ装置は、投稿者によってアップロードされた投稿カラオケデータを配信する機能を有するサーバ装置と通信可能に構成されたカラオケ装置に関するものである。この投稿カラオケデータは、原曲コンテンツと、アレンジコンテンツと、アレンジコンテンツの利用を許可する条件である利用条件を表す利用条件情報とを含むデータである。
【００２０】
上記カラオケ装置は、取得手段と、第１演奏手段と、判定手段と、権利付与手段と、受付手段と、第２演奏手段とを備える。取得手段は、サーバ装置から原曲コンテンツと、アレンジコンテンツと、利用条件情報とを取得するように構成されている。第１演奏手段は、利用客から投稿カラオケデータに関する演奏のリクエストを受付けた場合、そのリクエストに該当する投稿カラオケデータに含まれる原曲コンテンツに基づいて、原曲版のカラオケ楽曲を演奏するように構成されている。
【００２１】
判定手段は、第１演奏手段による演奏に係る利用客の歌唱態様が、当該投稿カラオケデータに含まれる利用条件情報で表される利用条件を満たすか否かを判定するように構成されている。権利付与手段は、利用客の歌唱態様が利用条件を満たすと判定された場合、当該投稿カラオケデータに含まれるアレンジコンテンツを利用する権利を付与するための情報である権利情報を、利用客に対して提示するように構成されている。
【００２２】
受付手段は、権利情報の入力を受付けるように構成されている。第２演奏手段は、受付手段によって権利情報の入力が受付けられた場合、その権利情報に該当するアレンジコンテンツに基づいて、アレンジ版のカラオケ楽曲を演奏するように構成されている。
【００２３】
このように構成されたカラオケ装置によれば、上述のカラオケシステムについて記述した効果と同様の効果が得られる。
【図面の簡単な説明】
【００２４】
【図１】カラオケシステムの概略構成を表すブロック図。
【図２】図２Ａは、センタサーバの構成を表すブロック図、図２Ｂは、カラオケ装置の構成を表すブロック図。
【図３】カラオケシステムが実行する処理の手順を表すシーケンス図。
【図４】投稿カラオケコンテンツ第１処理の手順を表すフローチャート。
【図５】投稿カラオケコンテンツ第２処理の手順を表すフローチャート。
【発明を実施するための形態】
【００２５】
以下、本開示の実施形態を図面に基づいて説明する。なお、本開示は下記の実施形態に限定されるものではなく様々な態様にて実施することが可能である。
［カラオケシステムの構成の説明］
図１に例示されるとおり、カラオケシステム１は、センタサーバ２、カラオケ装置３及び投稿者端末４それぞれがインターネット１０に接続されており、互いに通信可能に構成されている。なお、図１においては、説明を簡潔にするためにカラオケ装置３及び投稿者端末４を一台ずつ記載したが、実際には、これらの機器が数多く接続された態様で実施されるものとする。
【００２６】
センタサーバ２は、コンピュータシステムによって構成されたサーバ装置であり、投稿カラオケサービスを運営する事業拠点に設けられる。センタサーバ２は、図２Ａに例示されるとおり、制御部１１、通信インタフェース部１２、記憶部１３を備える。このセンタサーバ２は、投稿者端末４からアップロードされた投稿カラオケコンテンツを蓄積し、蓄積されている投稿カラオケコンテンツをカラオケ装置３からの要求に応じてインターネット１０経由で配信する機能を有する。また、センタサーバ２は、投稿カラオケコンテンツに含まれるアレンジコンテンツを利用する権利を表すクーポンデータを生成し、カラオケ装置３に送信する機能を有する。このクーポンデータは、本開示における権利情報の一例に相当する。
【００２７】
制御部１１は、図示しないＣＰＵ、ＲＡＭ、ＲＯＭ、フラッシュメモリ等の半導体メモリ、入出力インタフェース等を中心に構成された情報処理装置である。制御部１１の機能は、ＣＰＵがＲＯＭや半導体メモリ等の非遷移的実体的記憶媒体に格納されたプログラムを実行することにより実現される。通信インタフェース部１２は、センタサーバ２をインターネット１０に接続してカラオケ装置３及び投稿者端末４とデータ通信を行うように構成された通信インタフェースである。記憶部１３は、プログラムや各種データベース等を保存しておくための記憶装置である。
【００２８】
センタサーバ２は、一般の投稿者が作曲や作詞をして制作したオリジナルのカラオケ楽曲を構成する投稿カラオケコンテンツを蓄積するための投稿カラオケデータベースを記憶部１３に備える。図１に例示されるとおり、投稿カラオケコンテンツは、原曲コンテンツと、アレンジコンテンツと、特典開放条件の情報とを含む複合コンテンツである。
【００２９】
原曲コンテンツは、投稿者が制作したカラオケ楽曲の原曲（すなわち、アレンジされていない楽曲）を構成するコンテンツである。アレンジコンテンツは、原曲版のカラオケ楽曲を基に、編曲や追加特典といった何らかの変更や付加価値を加えて制作された、アレンジ版のカラオケ楽曲を構成するコンテンツである。
【００３０】
原曲コンテンツ及びアレンジコンテンツは、カラオケ楽曲の演奏や歌唱の採点をするための伴奏、ボーカル、コーラス等の楽曲データ、カラオケ楽曲の歌詞を構成する歌詞データ、カラオケ楽曲の演奏中に表示される背景画像データを含むデータ集合体である。そして、アレンジコンテンツが含む楽曲データや、歌詞データ、背景画像データは、原曲コンテンツのものとは異なり、総じて原曲コンテンツより付加価値が高いものとなっている。なお、アレンジコンテンツは、１つの投稿カラオケコンテンツに１つだけ用意されていてもよいし、複数種類用意されていてもよい。
【００３１】
特典開放条件は、投稿カラオケコンテンツに含まれるアレンジコンテンツの利用を許可するための条件を定めた情報である。この特典開放条件は、本開示における利用条件情報に相当する。本実施形態では、利用客がカラオケ装置３において投稿カラオケコンテンツの演奏をリクエストした場合、当初は原曲コンテンツのみ利用可能となっている。そして、アレンジコンテンツは、投稿カラオケコンテンツをリクエストした利用客の歌唱態様が、特典開放条件を満たすことで利用する権利が付与されるようになっている。なお、歌唱態様とは、投稿カラオケコンテンツに係るカラオケ楽曲を歌唱する利用客の様子や態度を表す客観的な情報である。歌唱態様の具体例としては、利用客による歌唱の回数や熟練度、カラオケルームに在室する利用客の数や年齢、性別等の人員構成等が挙げられる。
【００３２】
特典開放条件の具体的な内容としては、例えば、利用客による歌唱の回数や熟練度、カラオケルームに在室する利用客の数や年齢、性別等の人員構成等が所定の基準に達していることを条件とすることが考えられる。例えば、歌唱の熟練度に関する特典開放条件については、利用客が原曲コンテンツを歌唱したときの歌唱の採点結果が基準値以上であることを、達成の条件とすることが考えられる。
【００３３】
また、１つの投稿カラオケコンテンツにアレンジコンテンツが複数種類含まれる場合、個々のアレンジコンテンツごとに特典開放情報を定めてもよい。この場合、利用客がアレンジコンテンツを歌唱したときに別のアレンジコンテンツに関する特典開放条件を満たすことで、別のアレンジコンテンツを利用する権利が付与されるといった具合に、複数種類のアレンジコンテンツが連鎖的に開放されるようになっていてもよい。
【００３４】
カラオケ装置３は、例えば、カラオケ店舗に設置される業務用のカラオケ装置で具現化される。カラオケ装置３は、図２Ｂに例示されるとおり、制御部２１、通信インタフェース部２２、記憶部２３、操作部２４、音声入出力部２５を備える。また、カラオケ装置３には、ディスプレイ２６、マイク２７、スピーカ２８、カメラ２９等の周辺機器が接続されている。
【００３５】
このカラオケ装置３は、利用客からリクエストされたカラオケ楽曲を演奏する機能を有する。また、カラオケ装置３は、事業者が提供する商用のカラオケ楽曲だけでなく、投稿者によって制作された投稿カラオケコンテンツに含まれるオリジナルのカラオケ楽曲を演奏する機能を有する。カラオケ装置３は、センタサーバ２から配信される投稿カラオケコンテンツの一覧に基づいて、利用客から投稿カラオケコンテンツのリクエストを受付ける。そして、センタサーバ２から取得した投稿カラオケコンテンツに含まれる各コンテンツに基づいて、オリジナルのカラオケ楽曲を演奏する。
【００３６】
制御部２１は、図示しないＣＰＵ、ＲＡＭ、ＲＯＭ、フラッシュメモリ等の半導体メモリ、入出力インタフェース等を中心に構成された情報処理装置である。制御部２１の機能は、ＣＰＵがＲＯＭや半導体メモリ等の非遷移的実体的記憶媒体に格納されたプログラムを実行することにより実現される。通信インタフェース部２２は、カラオケ装置３をインターネット１０に接続し、インターネット１０を介した通信を制御する通信装置である。カラオケ装置３は、通信インタフェース部２２を介して、センタサーバ２との間で通信を行う。
【００３７】
記憶部２３は、例えばハードディスクドライブや半導体メモリ等からなる記憶装置である。記憶部２３には、事業者により提供された商用のカラオケ楽曲を演奏するための楽曲データを多数収録したカラオケデータベースや、カラオケ装置３の動作を制御するためのプログラムが記憶される。操作部２４は、利用客からの操作を入力するための入力装置であり、カラオケ装置３本体に備えられたタッチパネルやキースイッチ等からなる。
【００３８】
音声入出力部２５は、音声の入出力を制御するデバイスである。音声入出力部２５の入力側にはマイク２７が接続される。これにより音声入出力部２５は、利用客の歌唱音声を取得する。音声入出力部２５の出力側にはスピーカ２８が接続される。これにより音声入出力部２５は、制御部２１による演奏処理において再生された楽曲の演奏音及び利用客の歌唱音声の音源信号をスピーカ２８に出力する。スピーカ２８は、音声入出力部２５から出力される音源信号を音に換えて出力する。
【００３９】
ディスプレイ２６は、制御部２１から送られてくる映像データに基づいて映像の表示を行う表示装置である。本実施形態では、アレンジコンテンツを利用する権利を表すクーポンデータをディスプレイ２６に表示して利用客に対して提示する用途を想定している。カメラ２９は、カラオケ装置３が設置される場所（例えば、カラオケルーム）に設置される撮像装置であり、撮像した画像データを制御部２１に出力する。本実施形態では、利用客が所持する携帯端末（例えば、スマートフォン等）に表示されたクーポンデータを、カメラ２９によって読取る用途を想定している。
【００４０】
制御部２１は、リモコン端末等を介してユーザから楽曲のリクエストを受付けると、その楽曲の曲番号とリクエストしたユーザの識別情報とを対応付けて、内部のＲＡＭ等において管理されている予約リストに受付け順に登録する。制御部１１は、予約リストに登録されている演奏順に従って、予約曲に対応する楽曲データを順番に取得して演奏処理を行う。なお、カラオケ装置３のその他の機能や構成については公知技術に従っているので、ここでは詳細な説明を省略する。
【００４１】
投稿者端末４は、投稿者の拠点となる自宅やスタジオ等に設けられたパーソナルコンピュータや、投稿者個人が所有するスマートフォン等の構成の携帯電話端末等によって具現化される。投稿者端末４は、インターネット１０経由でセンタサーバ２とデータ通信を行う。投稿者端末４は、投稿者が制作した投稿カラオケコンテンツのデータを、センタサーバ２にアップロードする。アップロードされる投稿カラオケコンテンツには、原曲コンテンツと、アレンジコンテンツと、特典開放条件とが含まれる。アレンジコンテンツは、１つでも複数種類あってもよい。特典開放条件には、投稿者自らが定めたアレンジコンテンツの利用条件の情報が記録されている。
【００４２】
センタサーバ２は、投稿者端末４から投稿カラオケコンテンツを受信すると、投稿カラオケコンテンツの識別情報と、その投稿カラオケコンテンツに含まれる原曲版及びアレンジ版の各コンテンツの識別情報とを対応付けて、投稿カラオケデータベースに登録する。これにより、多くの投稿カラオケコンテンツがセンタサーバ２に蓄積される。そして、センタサーバ２は、蓄積された投稿カラオケコンテンツの一覧をカラオケ装置３に配信して投稿カラオケコンテンツを公開する。
【００４３】
［カラオケシステム１の動作の説明］
カラオケシステム１において投稿カラオケコンテンツが利用される一連の動作の概要について、図３のシーケンス図を参照しながら説明する。
【００４４】
Ｓ１０では、投稿者端末４が、原曲コンテンツと、その原曲コンテンツに基づくアレンジコンテンツとを含む投稿カラオケコンテンツをセンタサーバ２にアップロード（すなわち、投稿）する。次のＳ１２では、投稿者端末４が、Ｓ１０でアップロードした各コンテンツに対応する特典解放条件をセンタサーバ２に登録する。なお、特典解放条件は、投稿カラオケコンテンツが投稿された後でも、投稿者端末４から随時内容を更新できるようになっているものとする。
【００４５】
センタサーバ２の制御部１１は、Ｓ１０及びＳ１２で投稿者端末４から受信した各コンテンツ及び特典解放条件を含む投稿カラオケコンテンツを、投稿カラオケコンテンツの識別情報と、原曲版及びアレンジ版の各コンテンツの識別情報とに対応付けて、投稿カラオケデータベースに保存する。
【００４６】
Ｓ１４では、センタサーバ２の制御部１１は、現在投稿カラオケデータベースに蓄積されている投稿カラオケコンテンツの一覧を、カラオケ装置３に配信する。Ｓ１６では、センタサーバ２の制御部１１は、Ｓ１４で配信した一覧に該当する各投稿カラオケコンテンツに含まれる特典解放条件を、カラオケ装置３に配信する。
【００４７】
Ｓ１８では、カラオケ装置３の制御部２１は、センタサーバ２から取得した投稿カラオケコンテンツの一覧に基づいて利用客からリクエストされた投稿カラオケコンテンツについて、原曲コンテンツのデータをセンタサーバ２に要求する。Ｓ２０では、センタサーバ２の制御部１１は、カラオケ装置３からリクエストされた原曲コンテンツを、要求元のカラオケ装置３に送信する。カラオケ装置３の制御部２１は、センタサーバ２から取得した原曲コンテンツに基づいて、原曲版のカラオケ楽曲を演奏する。
【００４８】
Ｓ２２では、カラオケ装置３の制御部２１は、演奏した原曲コンテンツに対応する特典解放条件が達成されたことを条件に、この原曲コンテンツに対応するアレンジコンテンツを利用する権利を表すクーポンデータの発行を要求する。
【００４９】
Ｓ２４では、センタサーバ２の制御部１１は、クーポンデータの発行要求に応じて、該当するアレンジコンテンツを利用する権利を表すクーポンデータを生成し、その生成されたクーポンデータを要求元のカラオケ装置３に送信する。
【００５０】
センタサーバ２の制御部１１が生成するクーポンデータには、クーポンデータの識別情報、利用できるアレンジコンテンツの識別情報、利用する権利を有する利用客の識別情報、クーポンを行使できる場所又は期間に関する限定条件を表す情報が含まれる。クーポンを行使できる限定条件は、例えば、即時にその場（そのカラオケ店舗で）で利用できる条件であってもよいし、翌日以降の一定期間内で利用できる条件や、特定のカラオケ店舗でのみ利用できるものであってもよい。センタサーバ２は、カラオケ装置３に対して発行したクーポンデータを記憶部１３に保存する。
【００５１】
カラオケ装置３は、センタサーバ２から受信したクーポンデータを表す画像情報をディスプレイ２６に表示する。利用客は、ディスプレイ２６に表示されたクーポンデータを、自身が所有する携帯端末に備えられたカメラにより読取ることで、アレンジコンテンツを利用する権利を得ることができるようになっている。そして、利用客がクーポンデータを行使する際には、取得したクーポンデータの画像情報を携帯端末のディスプレイに表示させ、これをカラオケ装置３に接続されたカメラ２９に読取らせる。
【００５２】
Ｓ２６では、カラオケ装置３の制御部２１は、利用客の携帯端末から読取ったクーポンデータの有効性確認をセンタサーバ２に要求する。センタサーバ２の制御部１１は、カラオケ装置３から受信したクーポンデータを、記憶部１３に記憶している発行済みのクーポンデータと照合し、有効性を確認する。なお、クーポンデータに場所や期間に関する限定条件が設定されている場合、クーポンデータの入力を受付けたカラオケ装置３の設置場所や日時が限定条件に適合することを、そのクーポンデータを有効と判断する条件に含む。
【００５３】
Ｓ２８では、センタサーバ２の制御部１１は、クーポンデータが有効であると判断した場合、クーポンデータが有効である旨を表す有効通知を、要求元のカラオケ装置３に送信する。Ｓ３０では、カラオケ装置３の制御部２１は、有効通知を受信したクーポンデータに該当するアレンジコンテンツのデータをセンタサーバ２に要求する。Ｓ３２では、センタサーバ２の制御部１１は、カラオケ装置３からリクエストされたアレンジコンテンツを、要求元のカラオケ装置３に送信する。カラオケ装置３の制御部２１は、センタサーバ２から取得したアレンジコンテンツに基づいて、アレンジ版のカラオケ楽曲を演奏する。
【００５４】
［投稿カラオケコンテンツ第１処理の説明］
カラオケ装置３の制御部２１が実行する投稿カラオケコンテンツ第１処理の手順について、図４のフローチャートを参照しながら説明する。この処理は、投稿カラオケコンテンツに含まれる原曲コンテンツの演奏に関して実行される処理である。
【００５５】
Ｓ１００では、制御部２１は、センタサーバ２から投稿カラオケコンテンツの一覧と、特典解放条件とを受信し、記憶部２３に保存する。Ｓ１０２では、制御部２１は、Ｓ１００で受信した投稿カラオケコンテンツの一覧を利用客に提示し、その一覧から原曲コンテンツのリクエストを受付ける。リクエストの受付けは、操作部２４やカラオケ装置３を遠隔操作するためのリモコン端末を通じて行う。なお、本実施形態では、利用客による投稿カラオケコンテンツに対するリクエストに際して、クーポンデータの入力を伴わない場合、原曲コンテンツを演奏するリクエストとして扱うものとする。
【００５６】
Ｓ１０４では、制御部２１は、Ｓ１０２でリクエストを受付けた原曲コンテンツの識別情報をセンタサーバ２に通知し、センタサーバ２から原曲コンテンツのデータを受信する。Ｓ１０６では、制御部２１は、Ｓ１０４で受信した原曲コンテンツのデータに基づいて、原曲版のカラオケ楽曲の演奏を行う。
【００５７】
Ｓ１０８では、制御部２１は、原曲版のカラオケ楽曲の演奏処理と並行して、利用客の歌唱態様を評価する。具体的には、原曲コンテンツに基づくカラオケの演奏に合わせて歌唱する利用客の歌唱の巧拙度合を採点する。制御部２１は、原曲コンテンツの演奏に合わせてマイク２７から入力される利用客の歌唱音声を表す音声情報と、原曲コンテンツに含まれるボーカルデータとを比較し、その一致度合に基づいて歌唱を採点する。
【００５８】
あるいは、利用客の歌唱態様の評価として、利用客の歌唱履歴情報に基づいて、当該原曲コンテンツを歌唱した回数の累計を算出してもよい。また、利用客の歌唱態様の評価として、カメラ２９により撮像したカラオケルーム内の様子から、利用客の数や年齢、性別等の人員構成を認識してもよい。
【００５９】
Ｓ１１０では、制御部２１は、Ｓ１０６において演奏された原曲コンテンツについて、Ｓ１０８において取得された歌唱態様の評価結果と、原曲コンテンツが属する投稿カラオケコンテンツに含まれる特典開放条件とを比較する。Ｓ１１２では、制御部２１は、Ｓ１１０における比較の結果、利用客の歌唱態様が特典開放条件を満たすか否かを判定する。
【００６０】
具体的には、制御部２１は、利用客の歌唱回数や歌唱の採点点数が、特典開放条件として設定されている条件を満たしているか否かを判定する。あるいは、利用客の数や年齢、性別等の人員構成が、特典開放条件として設定されている人数や人員構成を満たしているか否かを判定してもよい。
【００６１】
利用客の歌唱態様が特典開放条件を満たさない場合（Ｓ１１２：ＮＯ）、制御部２１は投稿カラオケコンテンツ第１処理を終了する。一方、利用客の歌唱態様が特典開放条件を満たす場合（Ｓ１１２：ＹＥＳ）、制御部２１はＳ１１４に進む。
【００６２】
Ｓ１１４では、制御部２１は、今回の演奏において達成された特典開放条件に対応するクーポンデータの発行をセンタサーバ２に対して要求する。これに対し、センタサーバ２は、当該要求に係る特典開放条件に対応するアレンジコンテンツを利用する権利を表すクーポンデータを生成する。クーポンデータには、クーポンデータの識別情報、利用できるアレンジコンテンツの識別情報、利用する権利を有する利用客の識別情報、クーポンを行使できる場所又は期間に関する限定条件を表す情報が含まれる。センタサーバ２は、生成したクーポンデータを要求元のカラオケ装置３に送信する。
【００６３】
Ｓ１１６では、制御部２１は、センタサーバ２から送信されてくるクーポンデータを受信する。Ｓ１１８では、制御部２１は、Ｓ１１６で受信したクーポンデータの内容を、例えば二次元バーコード等の画像情報に変換し、変換された画像情報をディスプレイ２６に表示させる。利用客は、ディスプレイ２６に表示された二次元バーコード等のクーポンデータを、自身が所有する携帯端末に備えられたカメラで撮像して専用アプリケーションによって読取ることにより、クーポンデータを取得する。
【００６４】
［投稿カラオケコンテンツ第２処理の説明］
カラオケ装置３の制御部２１が実行する投稿カラオケコンテンツ第２処理の手順について、図５のフローチャートを参照しながら説明する。この処理は、投稿カラオケコンテンツに含まれるアレンジコンテンツの演奏に関して実行される処理である。
【００６５】
カラオケ装置３においてアレンジコンテンツが演奏される前提として、利用客は、過去に付与されたクーポンデータを、携帯端末の専用アプリケーションを経由してカラオケ装置３に入力する。具体的には、所有しているクーポンデータの内容と利用客の識別情報とを含む二次元バーコードを携帯端末のディスプレイに表示させ、これをカラオケ装置３に接続されているカメラ２９に読取らせる。
【００６６】
Ｓ２００では、制御部２１は、利用客の携帯端末に表示されたクーポンデータの画像情報を、カメラ２９を介して入力する。Ｓ２０２では、制御部２１は、入力されたクーポンデータの画像情報から読取ったクーポンデータ内容及び利用客の識別情報をセンタサーバ２に送信し、クーポンデータの有効性の確認を要求する。
【００６７】
これに対し、センタサーバ２は、カラオケ装置３から送信されてきたクーポンデータ及び利用客の識別情報と、センタサーバ２に保存されている発行済みのクーポンデータの内容とを照合し、その有効性を確認する。また、クーポンデータに場所や期間に関する限定条件が設定されている場合、クーポンデータの入力を受付けたカラオケ装置３の設置場所や日時が限定条件に適合するか否かを判定する。利用客により入力されたクーポンデータが有効と判定された場合、センタサーバ２は、クーポンデータの有効通知を要求元のカラオケ装置３に送信する。
【００６８】
Ｓ２０４では、制御部２１は、センタサーバ２からクーポンデータの有効通知を受信したか否かを判定する。クーポンデータの有効通知を受信しなかった場合、すなわち、クーポンデータが無効と判定された場合（Ｓ２０４：ＮＯ）、制御部２１はＳ２０６に進む。Ｓ２０６では、制御部２１は、入力されたクーポンデータが無効である旨のメッセージをディスプレイ２６に表示させ、投稿カラオケコンテンツ第２処理を終了する。
【００６９】
一方、Ｓ２０４において、クーポンデータの有効通知を受信した場合（Ｓ２０４：ＹＥＳ）、制御部２１はＳ２０８に進む。Ｓ２０８では、制御部２１は、入力されたクーポンデータに対応するアレンジコンテンツのデータを、センタサーバ２から受信する。Ｓ２１０では、制御部２１は、Ｓ２０８で受信したアレンジコンテンツのデータに基づいて、アレンジ版のカラオケ楽曲の演奏を行う。
【００７０】
Ｓ２１２では、制御部２１は、アレンジ版のカラオケ楽曲の演奏処理と並行して、利用客の歌唱態様を評価する。具体的には、上述のＳ１０８（図４参照）と同様にする。Ｓ２１４では、制御部２１は、Ｓ２１０において演奏されたアレンジコンテンツについて、Ｓ２１２において取得された歌唱態様の評価結果と、アレンジコンテンツが属する投稿カラオケコンテンツに含まれる特典開放条件とを比較する。
【００７１】
Ｓ２１４の後、制御部２１は、投稿カラオケコンテンツ第１処理のＳ１１２（図４参照）に移行する。Ｓ１１２では、制御部２１は、Ｓ２１４における比較の結果、利用客の歌唱態様が特典開放条件を満たすか否かを判定する。具体的には、上述の投稿カラオケコンテンツ第１処理のときと同様にする。
【００７２】
利用客の歌唱態様が特典開放条件を満たさない場合（Ｓ１１２：ＮＯ）、制御部２１は投稿カラオケコンテンツ第２処理を終了する。一方、利用客の歌唱態様が特典開放条件を満たす場合（Ｓ１１２：ＹＥＳ）、制御部２１はＳ１１４に進む。
【００７３】
Ｓ１１４では、制御部２１は、アレンジコンテンツの演奏において達成された特典開放条件に対応するクーポンデータの発行をセンタサーバ２に対して要求する。これに対し、センタサーバ２は、当該要求に係る特典開放条件に対応するアレンジコンテンツを利用する権利を表すクーポンデータを生成する。アレンジコンテンツの演奏において特典開放条件が達成された場合には、当該投稿カラオケコンテンツに含まれる複数のアレンジコンテンツの中から、別のアレンジコンテンツを利用する権利を表すクーポンデータを生成するようにしてもよい。
【００７４】
Ｓ１１６では、制御部２１は、センタサーバ２から送信されてくるクーポンデータを受信する。Ｓ１１８では、制御部２１は、Ｓ１１６で受信したクーポンデータの内容を、例えば二次元バーコード等の画像情報に変換し、変換された画像情報をディスプレイ２６に表示させる。
【００７５】
［効果］
実施形態のカラオケシステム１によれば、以下の効果を奏する。
（１）カラオケシステム１では、投稿カラオケコンテンツをリクエストした利用客に対して当初は原曲コンテンツしか開示されず、アレンジコンテンツは開示されないようになっている。利用客は、投稿カラオケコンテンツをリクエストして特典開放条件を達成することで発行されるクーポンデータを行使することにより、アレンジコンテンツを利用できる。このようすることで、付加価値の高いアレンジコンテンツを利用する権利を得るために、利用客が投稿カラオケコンテンツを積極的にリクエストすることが期待できる。多くの利用客によって投稿カラオケデータが利用される機会が多くなることにより、投稿者の創作意欲が高まり、楽曲投稿サービスの利用が一層促進される。
【００７６】
（２）特典開放条件に、歌唱の熟練度、すなわち歌唱の巧拙の評価に関する条件を含むように構成することで、利用客が原曲コンテンツの歌唱を練習するために、投稿カラオケ楽曲がリクエストされる機会が多くなることが期待される。
【００７７】
（３）利用客がクーポンデータを行使してアレンジコンテンツを利用したときに特典開放条件を達成することで、別のアレンジコンテンツを利用できるクーポンデータを発行するようにしてもよい。このようにすることで、利用客が原曲コンテンツやアレンジコンテンツを歌唱してその特典開放条件を達成する度に、更に別のアレンジコンテンツを開示することができるようになり、利用客に対して提供できる付加価値の多様性が増す。
【００７８】
（４）クーポンデータに、アレンジコンテンツを利用することができる場所や期間を表す限定条件を含むように構成することで、設定された場所や期間において利用客に再度投稿カラオケコンテンツを利用してもらうための有力な動機付けとなる。
【００７９】
［特許請求の範囲に記載の構成との対応］
実施形態の各構成と、特許請求の範囲に記載の構成との対応は次のとおりである。
センタサーバ２の記憶部１３に設けられる投稿カラオケデータベースが、記憶手段の一例に相当する。カラオケ装置３の制御部２１が実行するＳ１００，Ｓ１０４，Ｓ２０８が、取得手段としての処理の一例に相当する。カラオケ装置３の制御部２１が実行するＳ１０６が、第１演奏手段としての処理の一例に相当する。カラオケ装置３の制御部２１が実行するＳ１１２が、判定手段としての処理の一例に相当する。カラオケ装置３の制御部２１が実行するＳ１１８が、付与手段としての処理の一例に相当する。カラオケ装置３の制御部２１が実行するＳ２００が、受付手段としての処理の一例に相当する。カラオケ装置３の制御部２１が実行するＳ２１０が、第２演奏手段としての処理の一例に相当する。
【００８０】
［変形例］
上記各実施形態における１つの構成要素が有する機能を複数の構成要素に分担させたり、複数の構成要素が有する機能を１つの構成要素に発揮させたりしてもよい。例えば、カラオケ装置３が実行する処理の一部をセンタサーバ２が実行するように構成してもよい。あるいは、センタサーバ２が実行する処理の一部をカラオケ装置３が実行するように構成してもよい。
【００８１】
また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が、本開示の実施形態である。
【００８２】
上述したセンタサーバ２及びカラオケ装置３としてコンピュータを機能させるためのプログラム、このプログラムを記録した半導体メモリ等の非遷移的実態的記録媒体等、種々の形態で本開示を実現することもできる。
【符号の説明】
【００８３】
１…カラオケシステム、２…センタサーバ、３…カラオケ装置、４…投稿者端末、１０…インターネット、１１…制御部、１２…通信インタフェース部、１３…記憶部、２１…制御部、２２…通信インタフェース部、２３…記憶部、２４…操作部、２５…音声入出力部、２６…ディスプレイ、２７…マイク、２８…スピーカ、２９…カメラ。
【図１】
0006623823.tif 000002
【図２】
0006623823.tif 000003
【図３】
0006623823.tif 000004
【図４】
0006623823.tif 000005
【図５】
0006623823.tif 000006